(57)【要約】【課題】端子板と接触子との電気的導通の悪化を抑制したスイッチ装置を提供する。【解決手段】スイッチ装置は、電線が接続される複数の端子板と、端子板間の電気的導通及び遮断を切り替える開閉素子と、開閉素子による端子板間の電気的導通及び遮断に伴い点灯及び消灯する表示灯装置とを備えている。端子板２１Ａには、表示灯装置の回路基板に弾接することにより、端子板２１Ａと表示灯とを電気的に接続する接触子６が取り付けられ、端子板２１Ａには、電線と電気的に接続する電線接触部２１２と、錠ばねと接触する錠ばね接触部２１１と、電線接触部２１２及び錠ばね接触部２１１を互いに連結するとともに開口穴２１８が形成された連結部２１３とが設けられ、接触子６には、開口穴２１８と係合することにより端子板２１Ａに対する移動が規制される第１接触子側係合部６１１が設けられる。【選択図】図５
2010272416.tif 000002
【特許請求の範囲】
【請求項１】
外枠を構成するスイッチ本体部と、このスイッチ本体部に揺動自在に設けられたハンドルと、前記スイッチ本体部内に収納されるとともに電線が接続される複数の端子板と、前記スイッチ本体部内に収納されるとともに前記ハンドルの揺動動作に伴い前記端子板間の電気的導通及び遮断を切り替える開閉素子と、前記ハンドルに取り付けられるとともに前記開閉素子による前記端子板間の電気的導通に伴い電力が供給され、遮断に伴い電力の供給が中断されることにより点灯及び消灯する表示灯装置とを備えるスイッチ装置において、
前記表示灯装置には、点灯及び消灯する表示灯と、この表示灯に電力を供給する導電パターンが形成された回路基板とを有し、
前記端子板の少なくとも１つには、前記回路基板に弾接することにより、この端子板と前記表示灯とを電気的に接続する接触子が取り付けられ、
前記端子板には、前記電線と電気的に接続する電線接続部と、前記開閉素子と電気的に接続する開閉素子接続部と、これら電線接続部及び開閉素子接続部を互いに連結する連結部とが設けられ、
前記連結部には、開口穴が設けられ、
前記接触子には、前記開口穴と係合することにより前記端子板に対する前記接触子の移動が規制される係合部が設けられる
ことを特徴とするスイッチ装置。
【請求項２】
請求項１に記載のスイッチ装置において、
前記係合部は、切り起こしにより形成される係合爪にて形成され、
前記係合爪が前記開口穴に収納されることにより互いに係合される
ことを特徴とするスイッチ装置。
【請求項３】
請求項１〜請求項２のいずれか一項に記載のスイッチ装置において、
前記接触子には、前記係合部を有する基部と、この基部から延設される保持部とが設けられ、
前記基部及び前記保持部は、前記端子板を挟持する
ことを特徴とするスイッチ装置。
【請求項４】
請求項３に記載のスイッチ装置において、
前記電線接続部において、この電線接続部と前記連結部との接続部分とは反対側には、前記連結部と所定間隔を介して対向するとともに前記電線の移動を規制する電線規制部が設けられ、
前記基部及び前記保持部は、前記連結部と前記電線接続部と前記電線規制部とを前記端子板の外側より挟持する
ことを特徴とするスイッチ装置。
【請求項５】
請求項１〜請求項４のいずれか一項に記載のスイッチ装置において、
前記端子板は、金属板をプレス加工することにより形成され、
前記連結部の開口穴は、プレス加工する際の金型に対する金属板の位置を規定する位置決め部を兼ねる
ことを特徴とするスイッチ装置。
【請求項６】
請求項１〜請求項５のいずれか一項に記載のスイッチ装置において、
前記接触子の係合部が設けられる基部は、前記スイッチ本体部の壁部と前記連結部との間に挟まれる態様にて前記端子板に取り付けられる
ことを特徴とするスイッチ装置。
【発明の詳細な説明】
【技術分野】
【０００１】
本発明は、外枠を構成するスイッチ本体部と、スイッチ本体部に揺動自在に設けられたハンドルと、スイッチ本体部内に収納されるとともに電線が接続される複数の端子板と、ハンドルの揺動動作に伴い端子板間の電気的導通及び遮断を切り替える開閉素子と、開閉素子による前記端子板間の電気的導通に伴い電力が供給され、遮断に伴い電力の供給が中断されることにより点灯及び消灯する表示灯装置とを備えるスイッチ装置に関する。
【背景技術】
【０００２】
上記スイッチ装置としては、箱体のスイッチ本体部内に収納される複数の端子板である複数の接点端子及び端子板の間の電気的導通及び遮断を行う開閉素子の開閉動作によりオン状態及びオフ状態が切り替えられる。そしてスイッチ装置には、端子板に取り付けられるとともに、端子板の電力が供給されることにより点灯する表示灯装置と電気的に接続するための接触子が取り付けられている（例えば、特許文献１参照）。
【先行技術文献】
【特許文献】
【０００３】
【特許文献１】特開平５−１７４６６９公報
【発明の概要】
【発明が解決しようとする課題】
【０００４】
ところで、接触子は端子板に載置されるのみによってこの端子板に取り付けられているため、スイッチ装置を組立てる際の外部衝撃等により、端子板に対して接触子が浮き上がってしまう場合があった。その結果、接触子と端子板との電気的導通が悪化してしまい、短絡を生じてしまう場合があった。
【０００５】
本発明は、上記実情に鑑みてなされたものであり、その目的とするところは、端子板と接触子との電気的導通の悪化を抑制したスイッチ装置を提供することにある。
【課題を解決するための手段】
【０００６】
以下、上記目的を達成するための手段及びその作用効果について記載する。
（１）請求項１に記載の発明は、外枠を構成するスイッチ本体部と、このスイッチ本体部に揺動自在に設けられたハンドルと、前記スイッチ本体部内に収納されるとともに電線が接続される複数の端子板と、前記スイッチ本体部内に収納されるとともに前記ハンドルの揺動動作に伴い前記端子板間の電気的導通及び遮断を切り替える開閉素子と、前記ハンドルに取り付けられるとともに前記開閉素子による前記端子板間の電気的導通に伴い電力が供給され、遮断に伴い電力の供給が中断されることにより点灯及び消灯する表示灯装置とを備えるスイッチ装置において、前記表示灯装置には、点灯及び消灯する表示灯と、この表示灯に電力を供給する導電パターンが形成された回路基板とを有し、前記端子板の少なくとも１つには、前記回路基板に弾接することにより、この端子板と前記表示灯とを電気的に接続する接触子が取り付けられ、前記端子板には、前記電線と電気的に接続する電線接続部と、前記開閉素子と電気的に接続する開閉素子接続部と、これら電線接続部及び開閉素子接続部を互いに連結する連結部とが設けられ、前記連結部には、開口穴が設けられ、前記接触子には、前記開口穴と係合することにより前記端子板に対する前記接触子の移動が規制される係合部が設けられることを要旨とする。
【０００７】
この発明によれば、接触子に設けられた係合部と端子板に設けられた開口穴との係合により接触子が端子板に対して移動することが規制されるため、接触子と端子板とが互いに離間することを抑制することができる。したがって、端子板と接触子との電気的導通の悪化を抑制することができるようになる。
【０００８】
（２）請求項２に記載の発明は、請求項１に記載のスイッチ装置において、前記係合部は、切り起こしにより形成される係合爪にて形成され、前記係合爪が前記開口穴に収納されることにより互いに係合されることを要旨とする。
【０００９】
この発明によれば、係合部を切り起こしによる係合爪にて形成されるため、この係合爪が弾性変形しやすくなる。そして、この係合爪が開口穴に収納されるときには、復元力により係合爪と開口穴とは互いに係合されるようになる。したがって、係合爪を開口穴に係合する際の作業が容易となるため、スイッチ装置を容易に製造することができるようになる。
【００１０】
（３）請求項３に記載の発明は、請求項１〜請求項２のいずれか一項に記載のスイッチ装置において、前記接触子には、前記係合部を有する基部と、この基部から延設される保持部とが設けられ、前記基部及び前記保持部は、前記端子板を挟持することを要旨とする。
【００１１】
この発明によれば、基部と保持部とにより端子板が挟持される構成とすることにより、端子板に対して接触子が移動することが抑制されるようになる。したがって、係合部と開口穴との係合以外に端子板に対して接触子が移動することを規制する構造が設けられることにより、接触子と端子板とが互いに離間することをより一層抑制することができる。
【００１２】
（４）請求項４に記載の発明は、請求項４に記載のスイッチ装置において、前記電線接続部には、この電線接続部と前記連結部との接続部分とは反対側に、前記連結部と所定間隙を介して対向するとともに前記電線の移動を規制する電線規制部が設けられ、前記基部及び前記保持部は、前記連結部と前記電線接続部と前記電線規制部とを前記端子板の外側より挟持することを要旨とする。
【００１３】
この発明によれば、基部と保持部とが、端子板の電線接続部と電線規制部とを外側から挟持することにより、保持部と電線とが互いに干渉することを抑制することができる。したがって、保持部と電線とが干渉することにより、接触子が端子板に対して離間することを抑制することができる。
【００１４】
（５）請求項５に記載の発明は、請求項１〜請求項５のいずれか一項に記載のスイッチ装置において、前記端子板は、金属板をプレス加工することにより形成され、前記連結部の開口穴は、プレス加工する際の金型に対する金属板の位置を規定する位置決め部を兼ねることを要旨とする。
【００１５】
この発明によれば、開口穴が位置決め部を兼ねることにより、接触子の係合部と係合するための専用の開口穴を省略することができるようになる。したがって、端子板の形状を簡単化することができ、端子板のコストダウンを図ることができるようになる。
【００１６】
（６）請求項６に記載の発明は、請求項１〜請求項６のいずれか一項に記載のスイッチ装置において、前記接触子の係合部が設けられる基部は、前記スイッチ本体部の壁部と前記連結部との間に挟まれる態様にて前記端子板に取り付けられることを要旨とする。
【００１７】
この発明によれば、接触子の基部が連結部と壁部との間に挿入されることにより、端子板に対して接触子が端子板に対して係合する方向に沿って外れてしまうことが抑制することができるようになる。したがって、接触子と端子板とが互いに離間することが抑制することができるようになる。
【発明の効果】
【００１８】
本発明によれば、端子板と接触子との電気的導通の悪化を抑制したスイッチ装置を提供することができる。
【図面の簡単な説明】
【００１９】
【図１】本発明のスイッチ装置を具体化した第１の実施形態について、同スイッチ装置の分解斜視構造を示す斜視図。
【図２】同実施形態のスイッチ装置について、（ａ）同スイッチ装置のハンドルをオフ状態としたときの断面構造を示す断面図、（ｂ）同スイッチ装置のハンドルをオン状態としたときの断面構造を示す断面図。
【図３】同実施形態のスイッチ装置の端子板について、（ａ）同端子板の正面構造を示す正面図、（ｂ）同端子板の平面構造を示す平面図。
【図４】同実施形態のスイッチ装置の接触子について、（ａ）同接触子の正面構造を示す正面図、（ｂ）同接触子の平面構造を示す平面図、（ｃ）同接続端子の側面構造を示す側面図。
【図５】同実施形態のスイッチ装置の端子板及び接触子について、（ａ）端子板に接触子が取り付けられた状態の正面構造を示す正面図、（ｂ）端子板に接触子が取り付けられた状態の平面構造を示す平面図。（ｃ）第１接触子側係合部と開口穴との関係を示す断面図。
【図６】同実施形態のスイッチ装置について、（ａ）ボディに端子部を挿入した状態の平面構造を示す平面図、（ｂ）周壁部と接触子と端子板との関係を示す（ａ）の一部拡大図。
【図７】同実施形態のスイッチ装置の製造工程を示すフローチャート。
【図８】同実施形態の端子板に接触子を示す過程を示し、（ａ）端子板と接触子とが係合する前の状態を示す断面図、（ｂ）端子板と接触子とが係合した状態を示す断面図。
【図９】本発明のスイッチ装置を具体化した第２の実施形態について、（ａ）スイッチ装置の接触子の正面構造を示す正面図、（ｂ）同接触子の平面構造を示す平面図、（ｃ）同接続端子の側面構造を示す側面図。
【図１０】同実施形態のスイッチ装置の端子板及び接触子について、（ａ）端子板に接触子が取り付けられた状態の正面構造を示す正面図、（ｂ）端子板に接触子が取り付けられた状態の平面構造を示す平面図。（ｃ）端子板に接触子が取り付けられた状態の一部の断面構造を示す断面図。
【図１１】本発明のスイッチ装置を具体化した第３の実施形態について、同スイッチ装置の端子板に接触子が取り付けられた状態の正面構造を示す正面図、（ｂ）第１接触子側係合部と開口穴との関係を示す断面図。
【図１２】本発明のスイッチ装置のその他の実施形態について、第１接触子側係合部と位置決め孔との関係を示す断面図。
【図１３】比較例としてのスイッチ装置について、端子板に接触子が取り付けられた状態の正面構造を示す正面図。
【発明を実施するための形態】
【００２０】
（第１の実施形態）
図１〜図８を参照して、本発明のスイッチ装置を照明器具等の負荷のオン状態及びオフ状態を切り替える２極スイッチのスイッチ装置として具体化した第１の実施形態について説明する。
【００２１】
まず、図１を参照して、スイッチ装置Ａの全体構成について説明する。なお、図１においては、表示部４の表示灯４２及び表示灯保護部材４３等は省略されている。
図１に示すように、スイッチ装置Ａは、同スイッチ装置Ａの外枠を構成するスイッチ本体部１が設けられている。このスイッチ本体部１内には、電線との電気的導通を図る複数の端子等により構成される端子部２と、これら端子間の電気的導通及び遮断を切り替える開閉素子３と、点灯及び消灯することによりスイッチ装置Ａの状態を表示する表示部４とが収納されている。またスイッチ装置Ａには、スイッチ本体部１の一部の外枠を構成するとともに、開閉素子３の切替動作を操作する操作部５が設けられている。また、端子部２には、表示部４と電気的に接続されるとともに端子部２からの電力を表示部４に供給するための接触子６が取り付けられている。
【００２２】
スイッチ本体部１には、端子部２の端子等を収納するボディ１０と、ボディ１０に取り付けられるとともに端子等を一方から覆うカバー１１とが設けられている。これらボディ１０及びカバー１１は、樹脂材料を射出成形することにより成形されている。本実施形態では、ボディ１０の材料としてユリア樹脂を用いている。
【００２３】
端子部２には、電線がそれぞれ挿入されるとともに電気的に接続される一つの接点端子２０及び一対の端子板２１Ａ，２１Ｂと、接点端子２０及び各端子板２１Ａ，２１Ｂのそれぞれに取り付けられる４個の錠ばね２２と、電線と接点端子２０及び各端子板２１Ａ，２１Ｂとの接続を解除するための２つの解除釦２３とが設けられている。これら接点端子２０及び各端子板２１Ａ，２１Ｂのそれぞれは、銅板をプレス加工することにより一体に成形されている。また解除釦２３は、接点端子２０及び端子板２１Ａ，２１Ｂのそれぞれに対応するところに配置されている。
【００２４】
開閉素子３には、略Ｕ字形状に形成された開閉素子本体３０と、開閉素子本体３０に取り付けられるとともに端子板２１Ａに接触するための接触部材３１（図２参照）とが設けられている。この開閉素子３は、金属板をプレス加工することにより一体に成形されている。接触部材３１は、開閉素子本体３０に設けられた貫通孔３０ａに挿入された上で、例えば溶接により固定されている。
【００２５】
操作部５には、その一端が開閉素子本体３０に取り付けられるコイルばね５０と、このコイルばね５０の他端に取り付けられる操作釦５１とが設けられている。この操作釦５１を操作することにより、開閉素子本体３０を揺動させている。
【００２６】
以降では、ボディ１０に接点端子２０及び各端子板２１Ａ，２１Ｂが挿入される方向を「挿入方向」とし、その挿入方向のボディ１０側を「下方」とし、カバー１１側を「上方」とする。また、ボディ１０内において各端子板２１Ａ，２１Ｂが配列される方向を「幅方向」とし、ボディ１０内において接点端子２０と端子板２１Ａ，２１Ｂとが配列される方向を「長さ方向」とし、接点端子２０が配置される側を「前方」とし、端子板２１Ａ，２１Ｂが配置される側を「後方」とする。
【００２７】
次に、図２を参照して、スイッチ装置Ａが組み立てられた状態における各構成要素の関係について説明する。
ボディ１０には、外枠を構成する周壁部１２及び底壁部１３が設けられている。このボディ１０内には、長さ方向において接点端子収納部１４及び端子板収納部１５が並列した状態にて設けられている。そして、接点端子収納部１４と端子板収納部１５との長さ方向の間には、開閉素子収納部１６が設けられている。
【００２８】
接点端子収納部１４には、挿入方向の下方から上方に向かい順に解除釦２３、錠ばね２２及び接点端子２０が収納されている。端子板収納部１５には、挿入方向の下方から上方に向かい順に解除釦２３、錠ばね２２、各端子板２１Ａ，２１Ｂ及び接触子６が収納されている。開閉素子収納部１６には、端子板２１Ａの一部、接点端子２０の一部及び開閉素子３が収納されている。なお、接触子６は端子板２１Ａに挿入方向の上方から取り付けられている。
【００２９】
また、接点端子２０の一部には、挿入方向の上方から開閉素子本体３０が接触した状態にて配置されている。この開閉素子本体３０の挿入方向の上方には、同挿入方向の下方から上方に向かい順にコイルばね５０及び操作釦５１が配置されている。具体的には、操作釦５１に設けられた略円筒形状の空間であるコイルばね収納部５１ｂにコイルばね５０の挿入方向の上部が収納される態様にて、コイルばね５０は操作釦５１に取り付けられている。そして、これら端子部２及び開閉素子３を挿入方向の上方から覆うようにカバー１１がボディ１０に取り付けられている。
【００３０】
このカバー１１には、カバー１１を挿入方向に貫通するとともに操作釦５１を収納する釦収納部１１ａが設けられている。この釦収納部１１ａの挿入方向の下方から操作釦５１が挿通されることにより、操作釦５１は釦収納部１１ａに収納されるようになるとともに一部が釦収納部１１ａから挿入方向の上方に突出するようになる。
【００３１】
また、操作釦５１には、表示部４が取り付けられている。この表示部４には、その下面が接触子６と電気的接続を行う導電パターン４１が形成された回路基板４０が設けられている。この回路基板４０の上面には導電パターン４１に電気的接続されるネオンランプ等の表示灯４２が銅線（不図示）を介して実装されている。この表示灯４２の周囲には、この表示灯４２及び銅線がカバー１１と接触することを防止する表示灯保護部材４３が設けられている。この表示灯保護部材４３は、弾性に富んだ樹脂材料にて形成されている。また回路基板４０は、リード線（不図示）により端子板２１Ｂと電気的に接続されている。
【００３２】
操作釦５１において、表示灯４２に対応するところには、窓部５１ａが設けられている。この窓部５１ａを通じて表示灯４２の点灯及び消灯が、スイッチ装置Ａの外部から視認することができるようになる。
【００３３】
また、接触子６は、回路基板４０の導電パターン４１と弾接している。具体的には、接触子６は、挿入方向の下方に弾性変形をしつつ導電パターン４１と当接している。これにより、操作釦５１の押操作に伴い回路基板４０の傾斜具合が変更されたとしても、接触子６の弾性変形に伴う復元力の作用により接触子６と導電パターン４１との当接は維持されるようになる。したがって、表示部４は、端子板２１Ａに供給される電力が接触子６を介して供給されるようになる。
【００３４】
次に、スイッチ装置Ａにおける操作釦５１の操作による接点端子２０と端子板２１Ａとの電気的導通の態様について説明する。なお、図２（ａ）は、接点端子２０と端子板２１Ａとがともに電気的に遮断した状態（オフ状態）を示し、図２（ｂ）は、接点端子２０と端子板２１Ａとがともに電気的に導通した状態（オン状態）を示す。
【００３５】
図２（ａ）に示すように、操作釦５１は長さ方向の後方に向かうにつれて、挿入方向の下方に傾斜する態様にて配置されている。これに伴い、コイルばね５０は、その挿入方向の上部は同様に長さ方向の後方に向かうにつれて、挿入方向の下方に傾斜し、開閉素子本体３０に収納される挿入方向の下部は長さ方向の前方に向かうにつれて、挿入方向の上方に傾斜する態様にて配置されている。このコイルばね５０の下部の傾斜具合に伴い、開閉素子本体３０も同様に長さ方向の前方に向かうにつれて、挿入方向の上方に傾斜するようになる。したがって、開閉素子本体３０と端子板２１Ａとは互いに離間した状態となり、接点端子２０と端子板２１Ａとは互いに電気的に遮断された状態となる。
【００３６】
この状態において、端子板２１Ａには電力が供給されていないため、接触子６を介して表示部４には電力が供給されていない。そのため、表示灯４２は消灯している。これにより、スイッチ装置Ａがオフ状態であることがスイッチ装置Ａの外部より認識することができるようになる。
【００３７】
一方、図２（ｂ）に示すように、図２（ａ）の状態から操作釦５１の長さ方向の前方を挿入方向の下方に押操作したときには、操作釦５１の長さ方向の前方が挿入方向の下方へ傾斜する。これに伴い、コイルばね５０は、その挿入方向の上部は操作釦５１と同様に長さ方向の後方に向かうにつれて挿入方向の下方に傾斜し、その挿入方向の下部は長さ方向の後方に向かうにつれて挿入方向の上方に傾斜するようになる。これに伴い、開閉素子本体３０も同様に長さ方向の後方に向かうにつれて挿入方向の上方に傾斜するようになり、端子板２１Ａと接触するようになる。これにより、接点端子２０と端子板２１Ａとは互いに電気的導通がなされた状態となる。
【００３８】
この状態において、端子板２１Ａから接触子６を介して表示部４に電力が供給されることとなる。したがって、表示灯４２が点灯するようになる。これにより、スイッチ装置Ａがオン状態であることがスイッチ装置Ａの外部より認識することができるようになる。
【００３９】
次に、図３を参照して、端子板２１Ａの形状の詳細について説明する。
図３（ａ）に示すように、端子板２１Ａには、その長さ方向の前方において挿入方向及び幅方向に沿って延びる錠ばね接触部２１１が設けられている。この錠ばね接触部２１１には、錠ばね２２（図１参照）が当接される錠ばね接触面２１１ａが形成されている。この錠ばね接触部２１１に対して長さ方向の前方に向かい所定間隔を介した位置には、挿入方向及び幅方向に沿って延びる電線接触部２１２が設けられている。この電線接触部２１２には、電線が当接される電線接触面２１２ａが形成されている。これら錠ばね接触部２１１と電線接触部２１２とは、長さ方向において互いに対向する態様にて配置されている。具体的には、長さ方向において錠ばね接触面２１１ａと電線接触面２１２ａとが互いに対向するように配置されている。また、錠ばね接触部２１１と電線接触部２１２との長さ方向の間には、これら錠ばね接触部２１１と電線接触部２１２とを互いに連結するとともに挿入方向に沿って延びる連結部２１３が設けられている。これら錠ばね接触部２１１、電線接触部２１２及び連結部２１３は、上面視において略コ字形状に形成されている（図３（ｂ）参照）。
【００４０】
連結部２１３には、その挿入方向の上端部から幅方向に沿った方向に屈曲する形状に形成されるとともに、錠ばね２２の挿入方向の上方への移動を規制する錠ばね規制部２１４が設けられている。また連結部２１３の長さ方向の前方の端部における電線接触部２１２より挿入方向の上部には、同上部から幅方向に向かい延びて幅方向に屈曲する形状に形成されるとともに開閉素子３（図１参照）が接触する開閉素子接触部２１５が設けられている。即ち、連結部２１３は、電線接触部２１２と開閉素子接触部２１５とを互いに連結することとなる。
【００４１】
電線接触部２１２の挿入方向の上部には、その幅方向における連結部２１３とは反対側の部位から長さ方向の前方に向かい延びるように屈曲する形状に形成されるとともに電線の幅方向への移動を規制する電線規制部２１６が設けられている。この電線規制部２１６は連結部２１３と幅方向に所定間隔Ｗを介して対向するように設けられている（図３（ｂ）参照）。電線接触部２１２における電線規制部２１６より挿入方向の下方には、この電線接触部２１２より幅方向に突出する突出部２１７が設けられている。この突出部２１７と電線接触部２１２との挿入方向の間には、幅方向に凹む凹部２１７ａが形成されるようになる。
【００４２】
連結部２１３における長さ方向の中央部且つ挿入方向の上部には、長方形状に形成されるとともに連結部２１３を幅方向に貫通する開口穴２１８が設けられている。この開口穴２１８の挿入方向の下部には、円形状に形成されるともに連結部２１３を幅方向に貫通する位置決め孔２１９が設けられている。この位置決め孔２１９は、端子板２１Ａをプレス加工する際に、端子板２１Ａの基となる金属板のプレス金型に対する位置決めのために設けられている。即ち、端子板２１Ａは、金属板をプレス加工する際にこの位置決め孔２１９をプレス金型に対する基準位置として規定した上で、錠ばね接触部２１１、電線接触部２１２、錠ばね規制部２１４、開閉素子接触部２１５及び電線規制部２１６のプレス加工を行う。
【００４３】
図３（ｂ）に示すように、連結部２１３と錠ばね規制部２１４との間には、連結部２１３と錠ばね規制部２１４とを連結する第１屈曲部２２０が設けられている。また、連結部２１３と電線接触部２１２との間には、連結部２１３と電線接触部２１２とを連結する第２屈曲部２２１が設けられている。
【００４４】
次に、図４を参照して、接触子６の形状の詳細について説明する。この接触子６は、銅板をプレス加工することにより成形されている。また、接触子６の板厚は、端子板２１Ａの板厚よりも十分に小さい銅板を使用している。
【００４５】
図４（ａ）に示すように、接触子６には、端子板２１Ａの連結部２１３（図３参照）に幅方向に対向する側面視において略Ｌ字形状の基部６１が設けられている。基部６１の挿入方向の上端部には、幅方向に延びるとともに端子板２１Ａの錠ばね規制部２１４（図３参照）と挿入方向に対向する第１対向部６２が設けられている。この第１対向部６２の長さ方向の前方の端部には、長さ方向の前方に向かい挿入方向の上方に延びる弾性接触部６３が設けられている。また、第１対向部６２の長さ方向の後方の端部には、幅方向に向かい延びるとともに端子板２１Ａの電線接触部２１２（図３参照）に長さ方向に対向する第２対向部６４が設けられている。
【００４６】
基部６１には、その長さ方向の中央部且つ挿入方向の下部において幅方向に切り起こした係合爪である第１接触子側係合部６１１が設けられている。この第１接触子側係合部６１１は、長方形状に形成されている（図４（ｂ）及び（ｃ）参照）。
【００４７】
弾性接触部６３には、第１対向部６２の長さ方向の前方の端部から屈曲されるとともに直線状に延びる支持部６３１と、この支持部６３１の長さ方向の前方の端部から長さ方向の前方に向かい延びる挿入方向の上方に向かい湾曲する接触部６３２とが設けられている。
【００４８】
第２対向部６４の幅方向における基部６１とは反対側の端部且つ挿入方向の中央部には、長さ方向に屈曲するとともに長さ方向の前方に延びる第２接触子側係合部６４１が設けられている。第２接触子側係合部６４１の挿入方向の下部には、長さ方向の後方に向かうにつれて挿入方向の下方に向かい傾斜する傾斜部６４２が設けられている。
【００４９】
図４（ｂ）に示すように、第１対向部６２の幅方向の長さＬ１は、第２対向部６４の幅方向の長さＬ２よりも小さくなるように形成されている。そして弾性接触部６３の幅方向の長さＬ３は、第１対向部６２の幅方向の長さＬ１よりも小さくなるように形成されている。
【００５０】
基部６１と第１対向部６２との間には、基部６１と第１対向部６２とを連結する第１屈曲部６５が設けられている（図４（ｃ）参照）。また、基部６１と第２対向部６４との間には、基部６１と第２対向部６４とを連結する第２屈曲部６６（図４（ｂ）参照）が設けられている。
【００５１】
図４（ｃ）に示すように、第１対向部６２は、幅方向の一方に向かうにつれて挿入方向に対して傾斜する態様にて形成されている。この第１対向部６２の傾斜に伴い弾性接触部６３も同様に幅方向の一方に向かうにつれて挿入方向に対して傾斜する態様にて形成されている。ここで、回路基板４０と弾性接触部６３とが接触したときに、弾性接触部６３が挿入方向の下方に弾性変形することに伴い第１対向部６２も挿入方向の下方に若干弾性変形する。したがって、第１対向部６２及び弾性接触部６３を予め傾斜させて形成することにより、回路基板４０と弾性接触部６３とが接触した状態において、第１対向部６２は、幅方向に沿った状態に維持されるようになる。
【００５２】
次に図５を参照して、端子板２１Ａに接触子６を取り付けた状態について説明する。
図５（ａ）及び（ｂ）に示すように、接触子６は、その基部６１が端子板２１Ａの連結部２１３と接触するようになる。そして、第２対向部６４の長さ方向の前面６４ａが端子板２１Ａの電線接触部２１２の長さ方向の後面２１２ｂと接触するようになる。また、弾性接触部６３が回路基板４０（図２参照）に弾接した状態において、第１対向部６２の挿入方向の下面６２ａは、端子板２１Ａの錠ばね規制部２１４の上面２１４ａと接触するようになる。
【００５３】
また、図５（ａ）に示すように、第１接触子側係合部６１１は、端子板２１Ａの開口穴２１８と係合するようになる。ここで、第１接触子側係合部６１１の長さ方向の幅Ｈ１は、開口穴２１８の長さ方向の幅Ｈ２よりも小さく形成されている。また、第１接触子側係合部６１１の挿入方向の長さＴ１と開口穴２１８の挿入方向の長さＴ２とは、略同一となるようにそれぞれ形成されている。具体的には、第１接触子側係合部６１１の挿入方向の長さＴ１は、開口穴２１８の挿入方向の長さＴ２と同一もしくは僅かに小さいように形成されている。これら第１接触子側係合部６１１と開口穴２１８との係合により、接触子６が端子板２１Ａに対して挿入方向の上方に移動しようとしても、第１接触子側係合部６１１の上端部が開口穴２１８の周縁に接触する。これにより、接触子６は端子板２１Ａに対して挿入方向の上方への移動が規制されるようになる。
【００５４】
図５（ｃ）に示すように、第１接触子側係合部６１１と開口穴２１８とは幅方向において互いに重なるようになる。したがって、第１接触子側係合部６１１が開口穴２１８に収納されるため、接触子６が長さ方向に移動しようとしても第１接触子側係合部６１１の長さ方向の側面が開口穴２１８の周縁に接触する。これにより、接触子６は端子板２１Ａに対して長さ方向の両側ともに移動することが規制されるようになる。
【００５５】
また、第１接触子側係合部６１１の幅方向の長さＬ４は、連結部２１３の板厚である幅方向の長さＬ５と略同一となるように形成されている。具体的には、第１接触子側係合部６１１の幅方向の長さＬ４は、連結部２１３の幅方向の長さＬ５と同一もしくは僅かに小さいように形成されている。
【００５６】
また、図５では図示しないが、接触子６の第１屈曲部６５は、端子板２１Ａの第１屈曲部２２０よりも小さく形成されている。そして図５（ｂ）に示すように、接触子６の第２屈曲部６６は、端子板２１Ａの第２屈曲部２２１よりも小さく形成されている。これらにより、接触子６の各屈曲部６５，６６と端子板２１Ａの各屈曲部２２０，２２１とが互いに干渉することが防止される。したがって、第１対向部６２と錠ばね規制部２１４との当接、及び第２対向部６４と電線接触部２１２との当接とがそれぞれ良好に維持される。その結果、端子板２１Ａに対して接触子６が傾いた状態にて取り付けられることが抑制されるようになる。
【００５７】
また図５（ａ）に示すように、第２接触子側係合部６４１は、凹部２１７ａに係合するようになる。具体的には、第２接触子側係合部６４１の下端面が、突出部２１７の上端面に当接するようになる。これにより、接触子６が端子板２１Ａに対して挿入方向の上方に移動することが規制されるようになる。ここで、開口穴２１８の長さ方向の幅Ｈ２と第１接触子側係合部６１１の長さ方向の幅Ｈ１との差は、電線接触部２１２に対する第２接触子側係合部６４１の突出量Ｘ以上となるように形成されている。
【００５８】
また、第２接触子側係合部６４１と電線規制部２１６との挿入方向の間隙Ｗ１の大きさは、第１接触子側係合部６１１と開口穴２１８との挿入方向の間隙Ｗ２（図５（ｃ）参照）の大きさよりも大きくなるように形成されている。これにより、第１接触子側係合部６１１と開口穴２１８との係合が万が一外れてしまったとしても、第２接触子側係合部６４１と電線規制部２１６との係合により接触子６の端子板２１Ａに対する挿入方向の上方への移動が規制されるようになる。
【００５９】
次に、図６を参照して、ボディ１０に端子部２を収納した態様について説明する。
図６に示すように、接触子６は、ボディ１０の周壁部１２と端子板２１Ａの連結部２１３の幅方向の間に基部６１が挿入される態様にて端子板２１Ａに取り付けられている。言い換えれば、接触子６の基部６１は、周壁部１２と連結部２１３とにより幅方向に挟まれている。ここで、連結部２１３と周壁部１２との幅方向の間隙の大きさＤ１は、基部６１の板厚、即ち基部６１の幅方向の大きさＤ２よりも大きく形成することが可能なように設定されている。即ち端子板２１Ａはボディ１０の端子板収納部１５に収納された状態において僅かに幅方向に移動可能となっている。これにより、接触子６を周壁部１２と端子板２１Ａとの間に容易に挿入することができるようになる。
【００６０】
また、連結部２１３と周壁部１２との幅方向の間隙の大きさＤ１と、基部６１の板厚の大きさＤ２との差Ｄ３は、第１接触子側係合部６１１の幅方向の長さＬ４（図５（ｃ）参照）よりも小さくなるように形成されている。これにより、基部６１が周壁部１２に当接した状態においても、第１接触子側係合部６１１と開口穴２１８との係合が維持されるようになる。したがって、接触子６が上記間隙に挿入された後に、端子板２１Ａから接触子６が挿入方向の上方へ移動することが抑制されるようになる。
【００６１】
次に、図７を参照して、スイッチ装置Ａの製造工程について説明する。
スイッチ装置Ａの製造工程としては、カバー１１側に表示部４及び開閉素子３を取り付けてカバーユニットを製造するカバーユニット製造工程と、ボディ１０側に端子部２及び接触子６を取り付けてボディユニットを製造するボディユニット製造工程とが行われる。これらカバーユニット製造工程とボディユニット製造工程とは並行して行ってもよい。また、これらカバーユニット製造工程及びボディユニット製造工程の終了後に、ボディユニット及びカバーユニットを互いに取り付けるスイッチ本体組立工程が行われる。以上により、スイッチ装置Ａが製造される。
【００６２】
カバーユニット製造工程では、ステップＳ１０において、予め組み立てた表示部４を操作釦５１に取り付ける。そしてステップＳ１１において、操作釦５１にコイルばね５０を取り付ける。そしてステップＳ１２において、カバー１１に操作釦５１を取り付ける。これらステップＳ１０〜Ｓ１２は順番がそれぞれ異なってもよい。ここで、表示部４の回路基板４０には、リード線によって端子板２１Ｂが接続された構造となっている。
【００６３】
ボディユニット製造工程では、ステップＳ２０において、ボディ１０に解除釦２３を挿入する。そしてステップＳ２１において、錠ばね２２をボディ１０に挿入する。そしてステップＳ２２において、接点端子２０及び端子板２１Ａをボディ１０に挿入する。最後に、ステップＳ２３において、接触子６を端子板２１Ａに取り付ける。具体的には、図８に示すように、ボディ１０の周壁部１２と端子板２１Ａの連結部２１３との間に接触子６を挿入する。詳細には、図８（ａ）に示すように、第１接触子側係合部６１１は、連結部２１３と接触することにより、幅方向の外方に弾性変形するようになる。そして、図８（ｂ）に示すように、第１接触子側係合部６１１が開口穴２１８に係合するときには、第１接触子側係合部６１１は連結部２１３と接触しなくなるため、弾性変形からの復元力により元の状態に戻る。即ち第１接触子側係合部６１１は図８（ａ）の状態から幅方向の内方に向かい変形する。
【００６４】
また、このとき、端子板２１Ａに対して接触子６を長さ方向の後方にずらすことにより、第２接触子側係合部６４１と電線接触部２１２とを挿入方向において重なることを回避している。具体的には、第２接触子側係合部６４１に設けられた傾斜部６４２により接触子６を挿入方向の下方に移動することに伴い長さ方向の後方へ接触子６が案内される。ここで、開口穴２１８の長さ方向の幅Ｈ２と第１接触子側係合部６１１の長さ方向の幅Ｈ１との差が第２接触子側係合部６４１の電線接触部２１２に対する突出量Ｘ以上となるため、第２接触子側係合部６４１と電線接触部２１２との挿入方向の重なりを回避するとともに第１接触子側係合部６１１を開口穴２１８に係合することができる。そして、図８（ｂ）の状態とする際に第２接触子側係合部６４１が凹部２１７ａに収納されることに伴い、接触子６が長さ方向の前方に移動するようになる。これにより、接触子６を端子板２１Ａに対して挿入方向において載置するのみにて、接触子６が端子板２１Ａに取り付けられるようになる。
【００６５】
ところで、このボディユニット製造工程を製造機械により自動化したときには、図１３に示すような第１接触子側係合部を省略した接触子１００では、端子板１１０に接触子１００を取り付ける際に、その取り付けの衝撃により接触子１００が端子板１１０から挿入方向の上方に浮き上がってしまう場合がある。
【００６６】
一方、このボディユニット製造工程を作業者が手作業により行うときには、作業者が端子板１１０と接触子１００とが完全に取り付けたか否かを確認する作業を忘れてしまい、接触子１００が端子板１１０から浮き上がった状態にて組立工程を次工程に進めてしまう可能性がある。
【００６７】
その点において、本実施形態の接触子６と端子板２１Ａとでは、接触子６の第１接触子側係合部６１１と端子板２１Ａの開口穴２１８とにより互いに係合するため、製造機械により自動化しても端子板２１Ａから接触子６が浮き上がることを抑制することができるようになる。そして、第１接触子側係合部６１１と開口穴２１８とが係合する際には、クリック感が発生するため、作業者は端子板２１Ａに対して接触子６が完全に取り付けられたことを自動的に把握することができるようになる。これにより、作業者が端子板２１Ａと接触子６とが完全に取り付けたかを確認するための工程を省略することができるようになる。
【００６８】
最後に、スイッチ本体組立工程では、ステップＳ３０において、ボディユニットにカバーユニットを取り付けた上で、図示しない取付金具にてボディユニット及びカバーユニットを互いに固定する。具体的には、端子板２１Ｂをボディ１０に収納した上で、ボディ１０にカバー１１を取り付ける。そしてこの状態において、カバー１１側から取付金具を取り付けることによってカバー１１とボディ１０とを互いに固定する。
【００６９】
本実施形態のスイッチ装置Ａによれば、以下の効果を奏することができる。
（１）本実施形態によれば、接触子６の第１接触子側係合部６１１と、端子板２１Ａの開口穴２１８とが係合する構成である。この構成によれば、接触子に係合部が設けられていない構造と比較して、接触子６が端子板２１Ａに対して移動することが規制されるようになる。
【００７０】
また、第１接触子側係合部６１１と開口穴２１８とは、幅方向に互いに重なる構成としているため、即ち第１接触子側係合部６１１が開口穴２１８に収納される構成としているため、開口穴２１８に対して第１接触子側係合部６１１が長さ方向に移動することを規制することができる。したがって、本実施形態によれば、接触子６が端子板２１Ａに対して挿入方向へ移動することを規制するのに加え、長さ方向へ移動することを規制することができるようになる。以上により、接触子６と端子板２１Ａとが互いに離間することを抑制することができるため、接触子６と端子板２１Ａの電気的導通の悪化を抑制することができるようになる。
【００７１】
また、第１接触子側係合部６１１と開口穴２１８とによって長さ方向の両側への移動を規制するため、端子板２１Ａに対して接触子６の長さ方向の両側への移動を規制する構造を第１接触子側係合部６１１及び開口穴２１８以外に各別に設ける構成と比較して接触子６の形状を簡単化することができる。したがって、接触子６のコストダウンを図ることができるようになる。
【００７２】
また、端子板に対して接触子の挿入方向への移動を規制する構造として、端子板を挿入方向の両側から挟みこむ構造が考えられる。例えば、端子板の錠ばね規制部を挿入方向の両側から挟みこむ構造が考えられる。しかしながら、このような構造においては、接触子には挿入方向において錠ばね規制部の下面と対向する部位が必要となるため、接触子を端子板に取り付ける際に、上記部位を幅方向に弾性変形させて上記部位と錠ばね規制部とが挿入方向に重ならないようにした上で錠ばね規制部に嵌合させる必要がある。このような取り付け構造では、上記部位を弾性変形させる量が大きくなってしまうため、接触子を端子板に対して挿入方向の下方に載置するのみでは、上記部位を錠ばね規制部に嵌合させるのは困難である。その結果、接触子と端子板との組立工程において自動化が困難となる問題がある。
【００７３】
その点において、本実施形態では、図８に示すように接触子６を端子板２１Ａに対して挿入方向の上方から下方に向けて載置するのみにて第１接触子側係合部６１１が弾性変形し、この第１接触子側係合部６１１が開口穴２１８と同じ位置となったときには復元力により第１接触子側係合部６１１が開口穴２１８に収納されるようになる。したがって、接触子６と端子板２１Ａとの組立工程において自動化を達成することができるようになる。
【００７４】
（２）本実施形態によれば、第１接触子側係合部６１１は基部６１からの切り起こしにて形成されている。この構成によれば、第１接触子側係合部６１１が弾性変形しやすくなる。したがって、第１接触子側係合部６１１を開口穴２１８に係合する際の作業が容易となるため、スイッチ装置Ａを容易に製造することができるようになる。
【００７５】
（３）本実施形態によれば、開口穴２１８は第１接触子側係合部６１１の形状に対応した形状にて形成されている。この構成によれば、第１接触子側係合部６１１が開口穴２１８に係合した状態において、第１接触子側係合部６１１と開口穴２１８とが対応していない形状と比較して、第１接触子側係合部６１１の挿入方向及び長さ方向の各辺に亘り開口穴２１８との間隙を小さく設定することができる。したがって、開口穴２１８に対して第１接触子側係合部６１１が移動することが規制されるようになる。その結果、接触子６と端子板２１Ａとが互いに離間することを抑制することができる。
【００７６】
（４）本実施形態によれば、基部６１は、ボディ１０の周壁部１２と連結部２１３との幅方向の間に挿入されている。この構成によれば、周壁部１２と連結部２１３とにより基部６１の幅方向の移動が規制されるため、接触子６が端子板２１Ａに対して幅方向に沿って移動して、第１接触子側係合部６１１が開口穴２１８から外れてしまうことが抑制することができるようになる。したがって、接触子６と端子板２１Ａとが互いに離間することが抑制することができる。
【００７７】
特に、連結部２１３と周壁部１２との幅方向の間隙の大きさＤ１と、基部６１の板厚の大きさＤ２との差Ｄ３は、第１接触子側係合部６１１の幅方向の長さＬ４よりも小さくなるように形成されている。これにより、基部６１が周壁部１２に当接した状態においても、第１接触子側係合部６１１と開口穴２１８との係合が維持されるようになる。したがって、接触子６が上記間隙に挿入された後に、端子板２１Ａから接触子６が挿入方向の上方へ移動することが抑制されるようになる。
【００７８】
（５）本実施形態によれば、開口穴２１８と第１接触子側係合部６１１との挿入方向の間隙Ｗ２の大きさは、開口穴２１８の長さ方向の幅Ｈ２の大きさと第１接触子側係合部６１１の長さ方向の幅Ｈ１の大きさとの差にて規定される間隙の大きさよりも小さい。この構成によれば、接触子６が端子板２１Ａに対して挿入方向の上方に移動することを極小に抑制することと、接触子６が端子板２１Ａに対して取り付ける作業を容易にすることとの両立を図ることができるようになる。
【００７９】
（６）本実施形態によれば、第２接触子側係合部６４１と電線規制部２１６との挿入方向の間隙Ｗ１の大きさは、第１接触子側係合部６１１と開口穴２１８との挿入方向の間隙Ｗ２の大きさよりも大きい。この構成によれば、第１接触子側係合部６１１と開口穴２１８との係合が万が一外れたとしても、第２接触子側係合部６４１と電線規制部２１６との係合により、接触子６の端子板２１Ａに対する挿入方向の上方への移動が規制されるようになる。
【００８０】
（７）本実施形態によれば、接触子６の第１屈曲部６５は、端子板２１Ａの第１屈曲部２２０よりも小さく形成され、接触子６の第２屈曲部６６は、端子板２１Ａの第２屈曲部２２１よりも小さく形成されている。これらにより、接触子６の各屈曲部６５，６６と端子板２１Ａの各屈曲部２２０，２２１とが互いに干渉することが防止される。したがって、端子板２１Ａに対して接触子６が傾いた状態にて取り付けられることが抑制されるようになる。これにより、端子板２１Ａと接触子６との電気的導通の悪化を抑制することができるようになる。
【００８１】
（８）本実施形態によれば、開口穴２１８の長さ方向の幅Ｈ２と第１接触子側係合部６１１の長さ方向の幅Ｈ１との差は、電線接触部２１２に対する第２接触子側係合部６４１の長さ方向の前方への突出量Ｘ以上となるように形成されている。この構成によれば、接触子６を端子板２１Ａに対して挿入方向の上方から載置するときに、接触子６を端子板２１Ａに対して長さ方向の後方にずらして載置することにより第２接触子側係合部６４１と凹部２１７ａとの挿入方向の重なりを回避することができる。この状態においても開口穴２１８に対して第１接触子側係合部６１１が長さ方向において収納可能な位置とすることができる。したがって、接触子６に第２接触子側係合部６４１が設けられる構造においても、接触子６を端子板２１Ａに対して挿入方向の上方から下方に向けて載置するのみにて接触子６は端子板２１Ａに対して取り付けられるようになる。その結果、接触子６と端子板２１Ａとの組立工程において自動化を達成することができるようになる。
【００８２】
（第２の実施形態）
図９及び図１０を参照して、本発明のスイッチ装置を照明器具等の負荷のオン状態及びオフ状態を切り替える２極スイッチのスイッチ装置として具体化した第２の実施形態について説明する。
【００８３】
本実施形態のスイッチ装置は、第１の実施形態のスイッチ装置Ａと比較して、接触子の形状及び接触子と端子板との係合構造が変更されたものである。そのため、これら接触子の形状及び係合構造について説明し、その他の構造については説明を省略する。
【００８４】
図９の接触子６Ａは、第１の実施形態の接触子６において、第２対向部６４の幅方向における基部６１とは反対側の端部且つ第２接触子側係合部６４１よりも挿入方向の上方のところに第３接触子側係合部６４３が追加にて設けられた点にて異なる。
【００８５】
この第３接触子側係合部６４３は、第２対向部６４から長さ方向の前方に向かい延びている。そして、第３接触子側係合部６４３の長さ方向の前方且つ挿入方向の下方のところには、長さ方向の後方に向かうにつれて挿入方向の下方に向かい傾斜する傾斜部６４４が設けられている。また、基部６１から第３接触子側係合部６４３までの幅方向の長さＬ４は、基部６１から第２接触子側係合部６４１までの幅方向の長さＬ２よりも大きくなるように形成されている。
【００８６】
図１０に示すように、端子板２１Ａに接触子６Ａが取り付けられたときには、端子板２１Ａの電線規制部２１６に対して第３接触子側係合部６４３が面接触するようになる。これにより、接触子６Ａは、端子板２１Ａを幅方向から挟む態様にて取り付けられることなる。具体的には、接触子６Ａの基部６１と第３接触子側係合部６４３とが端子板２１Ａの連結部２１３と電線規制部２１６とを幅方向の両側から挟むようになる。このとき、基部６１及び第３接触子側係合部６４３は、連結部２１３及び電線規制部２１６とそれぞれ接触するようになる。これにより、接触子６は端子板２１Ａに軽圧入されるようになる。
【００８７】
本実施形態のスイッチ装置Ａによれば、第１の実施形態の効果（１）〜（８）に加え、以下の効果を奏することができる。
（９）本実施形態によれば、接触子６Ａの基部６１と第３接触子側係合部６４３とが端子板２１Ａの連結部２１３と電線規制部２１６とを幅方向の両側から挟む構成となる。したがって、端子板２１Ａに対して接触子６Ａが移動することが規制されるようになる。したがって、第１接触子側係合部６１１と開口穴２１８との係合以外に端子板２１Ａに対して接触子６Ａが移動することを規制する構造が設けられることにより、接触子６Ａと端子板２１Ａとが互いに離間することをより一層抑制することができる。
【００８８】
また、接触子６が端子板２１Ａに対して軽圧入されることにより、接触子６と端子板２１Ａとの密着性を向上させることができるようになる。これにより、接触子６が端子板２１Ａに対して挿入方向、長さ方向及び幅方向へ移動することがより一層抑制されるようになる。
【００８９】
（１０）本実施形態によれば、基部６１と第３接触子側係合部６４３とが、電線接触部２１２と電線規制部２１６とを外側から挟持することにより、第３接触子側係合部６４３と電線とが互いに干渉することを抑制することができる。したがって、第３接触子側係合部６４３と電線とが干渉することにより、接触子６が端子板２１Ａに対して離間することを抑制することができる。
【００９０】
（第３の実施形態）
図１１を参照して、本発明のスイッチ装置を照明器具等の負荷のオン状態及びオフ状態を切り替える２極スイッチのスイッチ装置として具体化した第３の実施形態について説明する。
【００９１】
本実施形態のスイッチ装置は、第１の実施形態のスイッチ装置Ａと比較して、接触子と端子板との係合構造が変更されたものである。そのため、この係合構造について説明し、その他の構造については説明を省略する。
【００９２】
図１１の接触子６Ｂは、その第１接触子側係合部６１１が端子板２１Ａに設けられた位置決め孔２１９に係合する点にて異なる。これにより端子板２１Ａには、開口穴２１８が省略された構造となる。
【００９３】
また、接触子６Ｂは、第１の実施形態の接触子６と比較して、接触子６の第１接触子側係合部６１１の形状が異なる。即ち、接触子６Ｂに設けられた第１接触子側係合部６１１は、基部６１の挿入方向の下端部において、幅方向に屈曲する態様にて設けられている。そして、この第１接触子側係合部６１１は、位置決め孔２１９の挿入方向の上部と当接することにより互いに係合されている。
【００９４】
本実施形態のスイッチ装置Ａによれば、第１の実施形態の効果（１）〜（８）に加え、以下の効果を奏することができる。
（１１）本実施形態によれば、位置決め孔２１９が開口穴２１８を兼ねることにより、第１接触子側係合部６１１と係合するための専用の開口穴を省略することができるようになる。したがって、端子板２１Ａの形状を簡単化することができ、端子板２１Ａのコストダウンを図ることができるようになる。
【００９５】
（その他の実施形態）
本実施形態のスイッチ装置は、上記各実施形態に限定されることなく、例えば以下の変更が可能である。また、以下の変形例は、上記各実施形態についてのみ適用されるものでなく、異なる変形例同士を互いに組み合わせて実施する場合にも適用することもできる。
【００９６】
・第２の実施形態では、基部６１と第３接触子側係合部６４３とにより、端子板２１Ａの連結部２１３と電線規制部２１６とを幅方向から挟むことによって、接触子６が端子板２１Ａに対して幅方向の移動を規制したが、接触子６の端子板２１Ａに対する幅方向の規制構造はこれに限定されることはない。例えば、基部６１から延設される保持部を設けるとともに、基部６１と保持部とにより略Ｕ字形状を形成し、これらを連結部２１３の板厚方向に対して嵌合する構成とすることもできる。これにより、第２の実施形態の効果（８）に準じた効果を奏することができる。
【００９７】
・第３の実施形態では、第１の実施形態の接触子６の第１接触子側係合部６１１の形状を変更した構成であったが、第２の実施形態の接触子６Ａの第１接触子側係合部６１１の形状を変更する構成とすることもできる。
【００９８】
・第１及び第２の実施形態では、第１接触子側係合部６１１が長方形状であり、開口穴２１８が長方形状の貫通孔であったが、第１接触子側係合部６１１及び開口穴２１８のそれぞれの形状はこれに限定されることはない。開口穴２１８に対して第１接触子側係合部６１１が係合可能な形状であれば、どのような形状であってもよい。
【００９９】
・第１及び第２の実施形態では、第１接触子側係合部６１１を切り起こしにて成形されたが、第１接触子側係合部６１１は打ち抜きによって成形されることもできる。具体的には、図１２に示すように、第１接触子側係合部６１１が、幅方向に沿うとともに端子板２１Ａに向かい延びる第１部位６１１ａと、この第１部位６１１ａから挿入方向の下方に向かうにつれて幅方向の端子板２１Ａとは反対側に向かい傾斜する第２部位６１１ｂとから構成することもできる。この構成では、接触子６Ｃが端子板２１Ａに対して挿入方向の上方に移動しようとしたときに、第１部位６１１ａが開口穴２１８と当接することによりその移動が規制されるようになる。また、この第１接触子側係合部６１１の形状は第３の実施形態の接触子６Ｂに対しても適用することができる。
【０１００】
・第１及び第２の実施形態では、開口穴２１８として、連結部２１３を幅方向に貫通する構成であったが、開口穴２１８は連結部２１３の幅方向の端子板２１Ａ側に凹む凹形状とすることもできる。
【０１０１】
・上記各実施形態では、接触子６，６Ａ，６Ｂの基部６１が端子板２１Ａの連結部２１３とボディ１０の周壁部１２との幅方向の間に挿入される構成であったが、基部６１の挿入構成はこれに限定されることはない。例えば、ボディ１０の挿入方向の下方を覆う底壁部１３から突出する壁部が設けられるとともに、この壁部と連結部２１３との幅方向の間に基部６１が挿入される構成とすることもできる。
【０１０２】
・上記各実施形態では、接触子６，６Ａ，６Ｂは、端子板２１Ａのみに取り付けられていたが、接触子６，６Ａ，６Ｂは、端子板２１Ｂに取り付ける構成とすることもできる。また、接触子６，６Ａ，６Ｂは、端子板２１Ａ，２１Ｂの両方ともに取り付ける構成とすることもできる。
【０１０３】
・上記各実施形態では、接触子６に第２接触子側係合部６４１が設けられ、端子板２１Ａに凹部２１７ａが設けられる構成であったが、第２接触子側係合部６４１及び凹部２１７ａはそれぞれ省略することもできる。
【０１０４】
・上記各実施形態では、スイッチ装置として２極スイッチのスイッチ装置であったが、単極スイッチ及び４極スイッチのスイッチ装置にも適用することができる。
【符号の説明】
【０１０５】
Ａ…スイッチ装置、１…スイッチ本体、２…端子部、３…開閉素子、４…表示部（表示灯装置）、５…操作部、６，６Ａ，６Ｂ，６Ｃ…接触子、１０…ボディ、１１…カバー、１１ａ…釦収納部、１２…周壁部、１３…底壁部、１４…接点端子収納部、１５…端子板収納部、１６…開閉素子収納部、２０…接点端子、２１Ａ，２１Ｂ…端子板、２１１…錠ばね接触部、２１２…電線接触部（電線接続部）、２１２ａ…電線接触面、２１２ｂ…後面、２１３…連結部、２１４…錠ばね規制部、２１４ａ…上面、２１５…開閉素子接触部（開閉素子接続部）、２１６…電線規制部、２１７…突出部、２１７ａ…凹部、２１８…開口部、２１９…位置決め孔（位置決め部）、２２０…第１屈曲部、２２１…第２屈曲部、２２…錠ばね、２３…解除釦、３０…開閉素子本体、３０ａ…貫通孔、３１…接触部材、４０…回路基板、４１…導電パターン、４２…表示灯、４３…表示灯保護部材、５０…コイルばね、５１…操作釦（ハンドル）、５１ａ…窓部、６１…基部、６１１…第１接触子側係合部、６１１ａ…第１部位、６１１ｂ…第２部位、６２…第１対向部、６２ａ…下面、６３…弾性接触部、６３１…支持部、６３２…接触部、６４…第２対向部（保持部）、６４ａ…前面、６４１…第２接触子側係合部、６４２…傾斜部、６４３…第３接触子側係合部（保持部）、６４４…傾斜部、６５…第１屈曲部、６６…第２屈曲部。
【図１】
2010272416.tif 000003
【図２】
2010272416.tif 000004
【図３】
2010272416.tif 000005
【図４】
2010272416.tif 000006
【図５】
2010272416.tif 000007
【図６】
2010272416.tif 000008
【図７】
2010272416.tif 000009
【図８】
2010272416.tif 000010
【図９】
2010272416.tif 000011
【図１０】
2010272416.tif 000012
【図１１】
2010272416.tif 000013
【図１２】
2010272416.tif 000014
【図１３】
2010272416.tif 000015